(57)【要約】【課題】ペットとしての犬の関心が得られて、飼い主との信頼を維持できる自動給餌装置を提供すること。【解決手段】おやつの時刻になったら、ペットにおやつの時刻になった旨を報知装置が報知し、変動タイマーがタイムアップする前に報知により促されるも前記ペットにより前記停止スイッチが作動しなかった場合には、制御装置はペット感知装置が前記ペットの存在を感知したときに抽選処理装置が行われて得られたルーレット装置による乱数値を読取って対応する記憶装置に格納されたデータを読取り、表示装置に前記乱数値に対応する抽選結果を表示装置に表示させる共に収納装置から前記抽選結果に対応するおやつを排出装置により排出して前記ペットに提供するように制御する。【選択図】図６
2016189730.tif 000002
【特許請求の範囲】
【請求項１】
おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
前記乱数値に応じた抽選結果やこの抽選結果を意味する表示を表すデータを格納する記憶装置と、
前記ペット感知用タイマーがタイムアップする前に、前記ペット感知装置が前記ペットの存在を感知したときの前記ルーレット装置により発生した乱数値を読取って対応するデータを前記記憶装置から読取って抽選処理を行う抽選処理装置と、
この抽選処理装置による抽選が行われると計時を開始する変動タイマーと、
この変動タイマーがタイムアップする前に前記ペットにより前記停止スイッチが作動しなかった場合には、前記ペット感知装置が前記ペットの存在を感知したときに前記抽選処理装置が行われて得られた前記ルーレット装置による乱数値に対応する前記記憶装置に格納されたデータを読取り、前記表示装置に前記乱数値に対応する抽選結果を前記表示装置に表示させる共に前記収納装置から前記抽選結果に対応する前記おやつを前記排出装置により排出して前記ペットに提供するように制御する制御装置とを
設けたことを特徴とする自動給餌装置。
【請求項２】
おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
抽選結果を格納するための記憶装置と、
前記ペット感知用タイマーがタイムアップする前に、前記ペット感知装置が前記ペットの存在を感知したときの前記ルーレット装置により発生した乱数値に対応するデータを前記記憶装置から読取って抽選処理を行う抽選処理装置と、
この抽選処理装置による抽選が行われると計時を開始する変動タイマーと、
この変動タイマーの計時中に前記ペットによる前記停止スイッチの作動毎に、複数の前記リールのうちの対応する各リールの回転を停止させて、その停止した各リールの表示される抽選結果を前記記憶装置に格納させて、この記憶装置に格納された前記抽選結果に対応する前記おやつを前記収納装置から前記排出装置により排出して前記ペットに提供するように制御する制御装置とを
設けたことを特徴とする自動給餌装置。
【請求項３】
おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
抽選結果を格納するための記憶装置と、
前記ペット感知用タイマーがタイムアップする前に、前記ペット感知装置が前記ペットの存在を感知したときの前記ルーレット装置により発生した乱数値に対応するデータを前記記憶装置から読取って抽選処理を行う抽選処理装置と、
この抽選処理装置による抽選が行われると計時を開始する変動タイマーと、
この変動タイマーの計時中に前記ペットによる前記停止スイッチの作動毎に、複数の前記リールのうちの対応する各リールが当たりを表示するようにその回転を停止させ、この当たりである抽選結果を前記記憶装置に格納させて、この記憶装置に格納された前記抽選結果に対応する前記おやつを前記収納装置から前記排出装置により排出して前記ペットに提供するように制御する制御装置とを
設けたことを特徴とする自動給餌装置。
【請求項４】
前記停止スイッチを作動させるために前記ペットにより押圧される停止ボタンと、
前記ペットにより前記停止ボタンが押圧されたときに、前記停止ボタンを振動させる振動装置とを設けたことを特徴とする請求項１乃至３のいずれかに記載の自動給餌装置。
【請求項５】
前記抽選処理装置による抽選が行われて、前記変動タイマーが計時してタイムアップする前に、前記ペットに前記停止スイッチを作動させるように誘引する誘引装置を設けたことを特徴とする請求項１乃至３のいずれかに記載の自動給餌装置。
【発明の詳細な説明】
【技術分野】
【０００１】
本発明は、おやつをペットに提供する自動給餌装置に関するものである。
【背景技術】
【０００２】
この種の自動給餌装置は、種々提案されているが、自動給餌装置とは異なるが、ペット用の餌を提供するペット用自動販売機が提案されている（例えば、特許文献１参照）。そして、この特許文献１に記載の技術によれば、「ペットの所在を感知するペット感知部と、前記ペット感知部がペットを感知したことを契機として、乱数を発生させるルーレット部と、前記ルーレット部によって発生された乱数に応じた抽選結果を表示するとともに、該抽選結果に応じた個数又は種別の商品を提供する商品提供部とを備え」ております。
【先行技術文献】
【特許文献】
【０００３】
【特許文献１】特許５４５８１０７号公報
【発明の概要】
【発明が解決しようとする課題】
【０００４】
しかしながら、前述した特許文献に記載のペット用自動販売機の技術は、ペットと飼い主とのコミュニケーションを促していますが、いまいちペットの関心が得られず、ペットにとって面白みに欠けるという問題がある。
【０００５】
そこで、本発明は上記のような問題を解消するためになされたもので、ペットとしての犬の関心が得られて、飼い主との信頼を維持できる自動給餌装置を提供することを目的とする。
【課題を解決するための手段】
【０００６】
第１の発明は、おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
前記乱数値に応じた抽選結果やこの抽選結果を意味する表示を表すデータを格納する記憶装置と、
前記ペット感知用タイマーがタイムアップする前に、前記ペット感知装置が前記ペットの存在を感知したときの前記ルーレット装置により発生した乱数値を読取って対応するデータを前記記憶装置から読取って抽選処理を行う抽選処理装置と、
この抽選処理装置による抽選が行われると計時を開始する変動タイマーと、
この変動タイマーがタイムアップする前に前記ペットにより前記停止スイッチが作動しなかった場合には、前記ペット感知装置が前記ペットの存在を感知したときに前記抽選処理装置が行われて得られた前記ルーレット装置による乱数値に対応する前記記憶装置に格納されたデータを読取り、前記表示装置に前記乱数値に対応する抽選結果を前記表示装置に表示させる共に前記収納装置から前記抽選結果に対応する前記おやつを前記排出装置により排出して前記ペットに提供するように制御する制御装置とを
設けたことを特徴とする。
【０００７】
また第２の発明は、おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
抽選結果を格納するための記憶装置と、
前記ペット感知用タイマーがタイムアップする前に、前記ペット感知装置が前記ペットの存在を感知したときの前記ルーレット装置により発生した乱数値に対応するデータを前記記憶装置から読取って抽選処理を行う抽選処理装置と、
この抽選処理装置による抽選が行われると計時を開始する変動タイマーと、
この変動タイマーの計時中に前記ペットによる前記停止スイッチの作動毎に、複数の前記リールのうちの対応する各リールの回転を停止させて、その停止した各リールの表示される抽選結果を前記記憶装置に格納させて、この記憶装置に格納された前記抽選結果に対応する前記おやつを前記収納装置から前記排出装置により排出して前記ペットに提供するように制御する制御装置とを
設けたことを特徴とする。
【０００８】
更に第３の発明は、おやつをペットに提供する自動給餌装置であって、
前記おやつを収納する収納装置と、
前記おやつを前記ペットに提供するための排出装置と、
前記おやつの時刻になったら、前記ペットにおやつの時刻になった旨を報知する報知装置と、
この報知装置による報知により促された前記ペットの操作により作動する停止スイッチと、
同じく前記おやつの時刻になったら、計時を開始するペット感知用タイマーと、
前記ペットの存在を感知するペット感知装置と、
前記ペット感知用タイマーが計時を開始したら、乱数値を発生させるルーレット装置と、
抽選結果を表示するために回転する複数のリールを備えた表示装置と、
抽選結果を格納するための記憶装置と、
前記ペット感知用タイマーがタイムアップする前に、前記ペット感知装置が前記ペットの存在を感知したときの前記ルーレット装置により発生した乱数値に対応するデータを前記記憶装置から読取って抽選処理を行う抽選処理装置と、
この抽選処理装置による抽選が行われると計時を開始する変動タイマーと、
この変動タイマーの計時中に前記ペットによる前記停止スイッチの作動毎に、複数の前記リールのうちの対応する各リールが当たりを表示するようにその回転を停止させ、この当たりである抽選結果を前記記憶装置に格納させて、この記憶装置に格納された前記抽選結果に対応する前記おやつを前記収納装置から前記排出装置により排出して前記ペットに提供するように制御する制御装置とを
設けたことを特徴とする。
【０００９】
第４の発明は、第１乃至第３の発明において、前記停止スイッチを作動させるために前記ペットにより押圧される停止ボタンと、
前記ペットにより前記停止ボタンが押圧されたときに、前記停止ボタンを振動させる振動装置とを設けたことを特徴とする。
【００１０】
第５の発明は、第１乃至第３の発明において、前記抽選処理装置による抽選が行われて、前記変動タイマーが計時してタイムアップする前に、前記ペットに前記停止スイッチを作動させるように誘引する誘引装置を設けたことを特徴とする。
【発明の効果】
【００１１】
以上のように、本発明によれば、ペットとしての犬の関心が得られて、飼い主との信頼を維持できる自動給餌装置を提供することができる。
【図面の簡単な説明】
【００１２】
【図１】自動給餌装置の外観斜視図である。
【図２】収納装置の縦断面図である。
【図３】蓋を外した状態のもなかとバラの状態のペットフードを示す図である。
【図４】第１及び第２リールの斜視図である。
【図５】自動給餌装置の制御ブロック図を示す。
【図６】第１の実施形態を示すフローチャートを示す図である。
【図７】抽選処理のフローチャートを示す図である。
【図８】抽選判定テーブル１を示す図である。
【図９】抽選判定テーブル２を示す図である。
【図１０】第２の実施形態を示すフローチャートを示す図である。
【発明を実施するための形態】
【００１３】
以下、おやつや餌をペットに提供する自動給餌装置１の実施形態を図に基づいて説明するが、本実施形態ではペットとして犬を例として説明するが、これに限らず、猫等に適用することもできる。先ず、外観斜視図である図１に示す前記自動給餌装置１の内部には、図２に示すように、前述しいたおやつや餌を収納する収納装置２が配設されている。
【００１４】
この収納装置２は種々の形態があるが、本実施形態では、その縦断面図である図２に示すように、２種類の形態を採用している。即ち、前記収納装置２は縦方向に延びた複数枚の仕切り板３により角筒状に形成された収納室Ｓが左右２室形成され、左の収納室Ｓ内には図３に示すもなかＭの内部にバラの状態の犬用ペットフードＰＦを収納した状態で蓋をしたもなかＭを多段に収納し、右の収納室Ｓ内にはバラの状態の犬用ペットフードＰＦを収納している。
【００１５】
なお、本実施形態では、もなかＭ内部に収納したり、バラの状態で収納したりしたが、犬用ペットフードＰＦの収納形態には拘らず、前記ペットフードＰＦの種類についても、同様に拘らず、種々考えられる。
【００１６】
なお、前記もなかＭは、犬が食べられる材料で作製され、蓋部分や本体部分を容易に破損できるような材料で構成し、破損することにより又は唾液で溶かすことにより、内部のバラの状態の犬用ペットフードＰＦが食べられる。そして、このもなかＭの蓋部分には、例えば骨を表現するような形状が施されるが、このような形状に限らず、種々の形状や図形や、絵等が考えられ、凹凸を形成したり、又は形成せずに施すことができる。
【００１７】
そして、簡略して記載していますが、左の収納室Ｓの下部には左の第１排出装置５を構成する排出板５Ａが左端部を支点として回転及び復帰可能に設けられると共に、最下位のもなかＭ１と次順位のもなかＭ２との間に抜き挿し可能なストッパー（図示せず）が設けられている。即ち、最下位のもなかＭ１の排出時には、前記ストッパーが最下位のもなかＭ１と次順位のもなかＭ２との間に入り込むと共に前記排出板５Ａが回動して、この排出板５Ａ上を最下位のもなかＭ１が滑りながら、前記自動給餌装置１の外部に設置された餌トレーＦＴ（移動可能である。）内にシュート７を介して排出されて供給できることとなる。
【００１８】
また、右の収納室Ｓの下部には、右の第２排出装置６を構成する供給口６Ａが開口された規制板６Ｂと、この規制板６Ｂの下方に配設された排出スクリュー６Ｃとが設けられている。即ち、バラの状態の犬用ペットフードＰＦの排出時には、駆動モーター（図示せず）が所定回転することにより、前記排出スクリュー６Ｃが所定数回転することにより、前記餌トレーＦＴ内にバラの状態の犬用ペットフードＰＦが前記シュート７を介して所定量排出されて供給できることとなる。
【００１９】
なお、前述した第１排出装置５及び第２排出装置６の構造については、前記収納室Ｓに収納された餌の収納形態に応じて種々考えられ、上述した実施形態に限られない。
【００２０】
図１及び図４に示すように、前記自動給餌装置１の犬の顔の目に相当する部分には、表面にルーレットの「大当たり」や「ハズレ」を表現するための、例えば「○」と「×」が交互に表示された表示装置である第１リール１１Ａ、第２リール１１Ｂがそれぞれ別個に各ステッピングモータにより構成される第１モータ１２Ａ、第２モータ１２Ｂにより回転可能に設けられる。即ち、前記第１モータ１２Ａ、第２モータ１２Ｂが回転するとこれらの出力軸に連結された一方の回転軸１３Ａ、他方の回転軸（図示せず）がそれぞれ回転し、前記回転軸１３Ａ、他方の前記回転軸に連結された一方のスポーク１４Ａ、他方のスポーク（図示せず）を介して前記第１リール１１Ａ、第２リール１１Ｂがそれぞれ回転する。
【００２１】
なお、前記第１リール１１Ａ、第２リール１１Ｂに付される図柄は、前述したような「○」や「×」に限らず、その他の種々の図柄、例えば「ハート」の絵柄等が考えられ、また例えば「◎」など図柄の数を増やし、与える餌の量や種類を変えるようにしてもよい。即ち、本実施形態では、「○」を「大当たり」とし、「×」を「ハズレ」とするが、「中当たり」や「小当たり」なども設けるようにしてもよい。
【００２２】
また、前記自動給餌装置１の犬の鼻に相当する部分には、犬の存在を確認するためのペット感知装置１５が設けられているが、このペット感知装置１５は赤外線センサー１５Ａ等により構成されるが、カメラやその他の構成でもよい。
【００２３】
前記自動給餌装置１の犬の口の下、顎に相当する部分は、前述したシュート７を構成する。また、足に相当する部分には、犬により操作される停止用ボタン１６が設けられ、この停止用ボタン１６が犬により押圧されると、リール停止スイッチ１７が作動されることとなる。
【００２４】
次に、図５の制御ブロック図に基づいて、説明する。先ず、２０は前記自動給餌装置１を統括制御する主制御装置で、例えばマイクロコンピュータのＣＰＵ（セントラル・プロセッシング・ユニット）で構成する。２１はプログラムを格納する第１記憶装置で、前記マイクロコンピュータのＲＯＭ（リ−ド・オンリー・メモリ）で構成する。２２は音声データを含む各種データを格納する第２記憶装置で、前記マイクロコンピュータのＲＡＭ（ランダム・アクセス・メモリ）で構成する。
【００２５】
なお、前記主制御装置２０は、統括制御する制御装置、種々の判定／判断を行う判定／判断装置、命令指示装置、実行装置など種々の役目を果たす。そして、前記主制御装置２０は、前記第２記憶装置２２に記憶された各種データに基づいて、前記第１記憶装置２２に格納されたプログラムに従い、犬へおやつや餌を提供する動作の制御を行う。
【００２６】
２５はおやつ設定スイッチ、２６はおやつ時刻設定スイッチ、２７はおやつ曜日設定スイッチで、ともにおやつアラーム設定の際に使用する。以下、この犬へのおやつ給餌に係るおやつアラーム設定について説明すると、先ず飼い主が前記自動給餌装置１の裏面の扉を開けて、初めに前記おやつ設定スイッチ２５を操作してＯＮ（オン）にする。この場合、前記おやつ設定スイッチ２５をＯＮ（オン）動作せず、ＯＦＦ（オフ）のままであれば終了するが、前記おやつ設定スイッチ２５をＯＮ動作すると、次に前記おやつ時刻設定スイッチ２６を使用しておやつを給餌（提供）する時刻を設定する。次に、前記おやつ曜日設定スイッチ２７を使用しておやつを給餌する曜日を設定する。
【００２７】
なお、前記おやつ設定スイッチ２５の「ＯＮ状態」又は「ＯＦＦ状態」、前記おやつ時刻設定スイッチ２６操作によるおやつの給餌時刻、前記おやつ曜日設定スイッチ２７操作によるおやつを給餌する曜日が前記第２記憶装置２２に記憶されるように前記主制御装置２０により制御される。
【００２８】
この場合、前記おやつ時刻設定スイッチ２６操作によるおやつの給餌時刻は、例えば午後３時のみとしたり、午前１０時と午後３時というように、複数の給餌時刻も設定することもでき、また前記おやつ曜日設定スイッチ２７操作によるおやつを給餌する曜日も単数又は複数曜日について設定することもできる。
【００２９】
次に、２９は留守番設定スイッチ、３０は留守番時刻設定スイッチ、３１は留守番曜日設定スイッチで、ともに飼い主が家を留守にする場合の留守番アラーム設定の際に使用する。以下、この犬への給餌（食事の提供）に係る留守番アラーム設定について説明すると、前述したように、前記自動給餌装置１の裏面の扉を開けて、前記留守番設定スイッチ２９を操作してＯＮ（オン）にする。この場合、前記留守番設定スイッチ２９をＯＮ（オン）動作せず、ＯＦＦ（オフ）のままであれば終了するが、前記留守番設定スイッチ２９をＯＮ動作すると、次に前記留守番時刻設定スイッチ３０を使用して留守にする場合の食事を提供する時刻を設定する。次に、前記留守番曜日設定スイッチ３１を使用して前述の食事の提供する曜日を設定し、例えば留守にする日の食事の提供する曜日を設定することができる。なお、前記お留守番設定スイッチ２９の「ＯＮ状態」又は「ＯＦＦ状態」、前記留守番時刻設定スイッチ３０操作による食事提供時刻、前記留守番曜日設定スイッチ３１操作による食事を提供する曜日が前記第２記憶装置２２に記憶されるように前記主制御装置２０により制御される。
【００３０】
この場合、前記留守番時刻設定スイッチ３０操作によるおやつの給餌時刻は、例えば午後１２時のみとしたり、午前７時と午後７時というように、複数の食事提供時刻も設定することもでき、また前記留守番曜日設定スイッチ３１操作による食事を給餌（提供）する曜日も単数又は複数曜日について設定することもできる。
【００３１】
３３は乱数設定スイッチで、乱数を設定する場合に使用する。以下この乱数設定について説明すると、前述したように、前記自動給餌装置１の裏面の扉を開けて、前記乱数設定スイッチ３３を操作して「条件１」か「条件２」にする。ここで、前記「条件１」にすると乱数最大値を「３」とし、前記「条件２」にすると乱数最大値を「６」とし、これらのデータが前記第２記憶装置２２に記憶されるように前記主制御装置２０により制御される。本実施形態では、「条件１」に設定されたものとして説明する。
【００３２】
３４はＲＴＣ（リアルタイムクロック）回路で、前記自動給餌装置１の電源が切られても、現在の曜日・時刻を刻み続ける機能を持つ集積回路である。３５はペット感知用タイマーで、前記ＲＴＣ回路３４からの現在の曜日・時刻から前記主制御装置２０が判断して、前述したおやつアラーム設定により、設定された曜日・時刻になったと判断した場合に、このペット感知用タイマー３５は計時を開始する。
【００３３】
３７は振動選択スイッチで、前記停止用ボタン１６が犬により押圧されると前記リール停止スイッチ１７が作動されるが、この押圧がされた際に、前記振動選択スイッチ３７が振動することが選択されていると、前記主制御装置２０は前記リール停止スイッチ１７の作動により振動装置３８を動作させて振動音を発生させ、跳ね返りの感触を与えて犬に前記停止用ボタン１６が操作された旨を伝えて、押圧した感触を身に着けるようにすると共にこの停止用ボタン１６の録音された押し下げ音が音声出力装置４１により報知される。また、振動することが選択されていないと、この停止用ボタン１６の録音された押し下げ音のみが音声出力装置４１により報知されることとなる。
【００３４】
４０は音声選択スイッチで、前述したようなおやつアラームの設定の際に、報知装置である音声出力装置４１を介して音声を出力できるようにするために、操作される。即ち、例えば飼い主の声を録音した録音音声を再生するか、デフォルト音声を再生するかを切り替え選択することができる。この場合、飼い主の声を録音した録音音声を再生する場合には、飼い主が留守していて家に居なくとも、犬は飼い主の声が録音された声を聞くことができるので、普段と変わらずに安心しておやつを食することができ、精神的なストレスが発生しないか、発生しても和らげられる。なお、飼い主の声を録音した録音音声を１種類、デフォルト音声を１種類、前記第２記憶装置２２に格納するようにしたが、それぞれ複数種類格納するようにしてもよく、この場合、前記音声選択スイッチ４０でこれらの何れかを選択することができる。
【００３５】
４２はルーレット変動タイマーで、後述する抽選処理が行われると、ルーレットの変動が開始されるが、このルーレットの変動が開始に伴い設定されたルーレットの変動時間の計時を開始する。４３は高周波出力装置で、前記抽選処理が行われると、ルーレットの変動が開始されると共にこの高周波出力装置４３により人間には聞き取れないが、犬には聞こえる高周波が発生する。これにより、犬はこれからルーレットが行われることを理解できることとなる。
【００３６】
なお、以上のような高周波出力装置４３により高周波を発生させるだけではなく、前記第２記憶装置２２に格納された音楽を前記音声出力装置４１を介して流したり、更には前記第１モータ１２Ａ、第２モータ１２Ｂの運転による前記第１リール１１Ａ、前記第２リール１１Ｂの動きに合わせて図示しない駆動源を駆動させて前記停止用ボタン１６を、例えばピクっと動かすような動作をさせてもよく、これらが犬が停止用ボタン１６を押圧するように誘引する誘引装置の役目を果たす。これにより、犬が高周波音や、前記音楽や、前記停止用ボタン１６の前記動作に反応して、これに興味を持ち、おやつの時刻になって、犬にルーレットが始められるということを理解させ、犬に前記停止用ボタン１６を押圧させる動作を促すことができる。
【００３７】
この場合、前記第１リール１１Ａ、前記第２リール１１Ｂの動きに合わせて前記高周波出力装置４３により「大当たり」を意味する高周波を間欠的に発生させたり、「大当たり」を意味する高周波と「ハズレ」を意味する高周波を繰り返し発生させるようにして、犬に「大当たり」のタイミングを理解させながら前記停止用ボタン１６を押圧させる動作を促してもよい。また同様に、音楽を前記音声出力装置４１を介して流す場合にも、前記第１リール１１Ａ、前記第２リール１１Ｂの動きに合わせて犬に「大当たり」のタイミングを理解させながら前記停止用ボタン１６を押圧させる動作を促してもよい。更には、前記駆動源を駆動させて前記停止用ボタン１６を前記動作をさせる場合にも、記第１リール１１Ａ、前記第２リール１１Ｂの動きに合わせて犬に「大当たり」のタイミングを理解させながら前記停止用ボタン１６を押圧させる動作を促してもよい。
【００３８】
４５は留守番餌量設定スイッチで、設定値が１〜５の５段階のうちの任意の段階に設定することができる。即ち、ルーレットによる抽選結果が「大当たり」の場合は、前述した左の収納室Ｓ内の前記もなかＭを前記第１排出装置５が排出し、「ハズレ」の場合は、右の収納室Ｓ内のバラの状態の犬用ペットフードＰＦを前記段階１の少量を前記第２排出装置６が排出するが、この段階１より少しずつ増量したければ段階２以上の順次上の段階に設定することができる。この設定されたデータは、前記第２記憶装置２２に格納される。
【００３９】
４７Ａ、４７Ｂは第１、第２リール位置把握装置で、前述した対応する各第１リール１１Ａ、第２リール１１Ｂの位置を把握するものである。即ち、前記第１モータ１２Ａ、第２モータ１２Ｂの回転のための駆動パルスの数に応じて第１リール１１Ａ、第２リール１１Ｂの回転角度が定まっているために、前記第１リール１１Ａ、第２リール１１Ｂの位置を把握できるものである。この場合、前記第１、第２リール位置把握装置４７Ａ、４７Ｂを前記第１記憶装置２１に格納されたプログラムを実行する前記主制御装置２０で構成してもよい。
【００４０】
また、前記第１リール１１Ａ、第２リール１１Ｂの表面に、例えば切り欠きを設けて、この切り欠きの有無を対応する各第１、第２有無検知センサー（又は有無検知スイッチなど）４８Ａ、４８Ｂが検知することで、一定時間内の切り欠き有無検知情報の変化を検知することにより、一定時間内に「有り」及び「無し」を検知すると「回転中」であると、また一定時間内に「有り」と「無し」のいずれか一方のみしか検知しない場合には「停止中」であると判断でき、前記前記第１リール１１Ａ、第２リール１１Ｂが「回転中」なのか「停止中」なのかの判断を前記主制御装置２０が行うことができる。
【００４１】
以上の構成により、以下前記自動給餌装置１の動作について、第１の実施形態を示す図６のフローチャートに基づいて、説明する。先ず、前記自動給餌装置１に電源が供給されると、前記主制御装置２０は前記ＲＴＣ回路３４から現在の曜日・時刻を読込み（ステップＳ０１）、次にこの読込んだ曜日・時刻に基づいて設定された曜日におけるおやつ時刻か否かが判定される（ステップＳ０２）。
【００４２】
この場合、おやつ時刻が月曜日から水曜日までの午後３時に設定していた場合に、例えば今日は月曜日であるが午後３時前でおやつ時刻でないと判定すると、前記留守番設定スイッチ２９がＯＮ状態であるか否かが前記第２記憶装置２２に格納されたデータに基づいて前記主制御装置２０により判定され（ステップＳ０３）。そして、ＯＦＦ状態であればステップＳ０１に戻り、ＯＮ状態であれば食事を提供する曜日・時刻か否かが前記ＲＴＣ回路３４から読込んだデータに基づいて前記主制御装置２０により判定される（ステップＳ０４）。
【００４３】
そして、前記留守番設定スイッチ２９がＯＮ状態であるが、食事を提供する曜日・時刻でないと判定されると、ステップＳ０１に戻り、食事を提供する曜日・時刻であると判定されると、前記主制御装置２０は前記音声出力発生装置４１に音声を発生するように制御する（ステップＳ０５）。
【００４４】
次に、食事を提供する曜日・時刻であると判定された場合に、前記主制御装置２０は留守番餌量設定スイッチ４５により設定されて前記第２記憶装置２２に記憶された設定値を読み込む（ステップＳ０６）。この場合、「段階３」と設定されていた場合には、この餌の「段階３」に応じた量を供給するように、前記第２排出装置６の前記排出スクリュー６Ｃを所定数回転するように前記駆動モーター（図示せず）を制御して、前記シュート７を介して前記餌トレーＦＴ内にバラの状態の犬用ペットフードＰＦを供給し（ステップＳ０７）、ステップＳ０１に戻り、上述した動作が繰り返される。
【００４５】
以上がおやつを提供する曜日・時刻でない場合の動作であるが、次におやつを提供する曜日・時刻になった場合の動作について説明する。
【００４６】
即ち、前述したステップＳ０２において、設定された曜日におけるおやつ時刻か否かが判定されて、設定された曜日におけるおやつ時刻（月曜日の午後３時）と判定されると、例えば前記音声選択スイッチ４０操作により飼い主の声を録音した録音音声を再生するように設定されていた場合には、前記主制御装置２０は前記音声出力装置４１を介して録音音声を再生しておやつ時刻である旨を犬に報知させると共に前記ペット感知用タイマー３５が計時を開始するように制御する（ステップＳ０８）。なお、デフォルト音声を再生するように設定されていた場合には、前記主制御装置２０は前記音声出力装置４１を介してデフォルト音声を再生しておやつ時刻である旨を犬に報知する。
【００４７】
次に、前記第１記憶装置２１に格納されたプログラムを実行して乱数値を発生させるルーレット装置でもある前記主制御装置２０は乱数値を「０」から「１」インクリメントさせて前記第２記憶装置２２に格納し（ステップＳ０９）、乱数の最大値が「１」インクリメントさせた乱数値（この場合、乱数は「１」）より大きいか否かを判定し（ステップＳ１０）、乱数の最大値［３］の方が前記乱数値「１」より大きいと判定される。即ち、前述したように、前記乱数設定スイッチ３３を操作して「条件１」が設定されているため、乱数の最大値［３］の方が前記乱数値「１」より大きいと判定される。
【００４８】
このため、前記ペット感知用タイマー３５は計時を開始しており、設定時間（例えば、２分間）より「１秒」デクリメントするように、前記主制御装置２０は制御する（ステップＳ１１）。
【００４９】
そして、前記ペット感知用タイマー３５がタイムアップしていないかが判定され（ステップＳ１２）、設定時間に達しておらずタイムアップしていなければ、次に前記ペット感知装置１５の前記赤外線センサー１５Ａが犬の存在を検知したか否かが判定され（ステップＳ１３）、犬の存在を検知するまで且つ乱数値が「４」になるまでステップＳ０９まで戻って上述せるステップＳ０９からステップＳ１３までの動作を繰り返す。
【００５０】
そして、前記ペット感知用タイマー３５がタイムアップしていない状態で、犬の存在を検知しないで、乱数値が「４」になると、ステップＳ１０において乱数の最大値「３」が乱数値（「４」）以上でなくなるので、この乱数値「４」を「０」とし（ステップＳ１４）として、前記主制御装置２０はステップＳ０９に戻るように制御する。
【００５１】
そして、上述した動作を繰り返し、前記ペット感知装置１５の前記赤外線センサー１５Ａが犬の存在を検知する前に、前記ペット感知用タイマー３５が計時してタイムアップしたと判断すると、終了するように制御する。
【００５２】
そして、前記ペット感知用タイマー３５が計時してタイムアップする前に、前記音声出力装置４１が録音音声を再生しておやつ時刻である旨が報知されて、おやつ時刻であると気づいた犬が前記自動給餌装置１に近づいて、前記赤外線センサー１５Ａが犬の存在を検知すると（ステップＳ１３）、前記第１記憶装置２１に格納されたプログラムを実行して抽選処理を行う抽選処理装置でもある前記主制御装置２０が抽選処理を行う（ステップＳ１５）。
【００５３】
この抽選処理について、図７を参照して説明すると、先ず前記主制御装置２０は前記赤外線センサー１５Ａが犬の存在を検知した際の前記第２記憶装置２２に格納された乱数値を読取り（ステップＳ４１）、前記乱数設定スイッチ３３の操作により設定されたものが「条件１」か否かが判定される（ステップＳ４２）。この場合、前記「条件１」に設定されていれば、乱数最大値は「３」であり、前記「条件２」に設定されていれば、同じく「６」であって、前記主制御装置２０は設定されたものが前記「条件１」であれば使用するデータ表を「抽選判定テーブル１」（図８参照）とし（ステップＳ４３）、前記「条件２」であれば使用するデータ表を「抽選判定テーブル２」（図９参照）とする（ステップＳ４４）。
【００５４】
なお、前記乱数設定スイッチ３３の操作により設定されたのが「条件１」又は「条件２」であることや、「抽選判定テーブル１」及び「抽選判定テーブル２」は前記第２記憶装置２２に格納されており、前記主制御装置２０はこの格納された「条件１」又は「条件２」に対応する「抽選判定テーブル１」又は「抽選判定テーブル２」から乱数値に対応する各データ内容を読込む（ステップＳ４５）。即ち、「抽選判定テーブル１」又は「抽選判定テーブル２」から、乱数値に対応する○又は×の停止図柄、変動時間３０ｓ又６０ｓ（３０秒間又は６０秒間の意）、「大当たり（「１」）」又は「ハズレ（「０」）」を読込む。ここでは、前記第１リール１１Ａに対応する「抽選判定テーブル１」又は「抽選判定テーブル２」の左の停止図柄及び前記第２リール１１Ｂに対応する「抽選判定テーブル１」又は「抽選判定テーブル２」の右の停止図柄が共に「○」であれば「大当たり」で、その他は「ハズレ」である。即ち、図８の「抽選判定テーブル１」によれば乱数値「３」が「大当たり」で、「大当たり」の確率は１／３であり、図９の「抽選判定テーブル２」によれば乱数値「６」が「大当たり」で、「大当たり」の確率は１／６である。ここでは、前述したように、「条件１」が設定されているものであり、以下説明する。
【００５５】
前述した抽選処理が行われると、次に前記主制御装置２０は「抽選判定テーブル１」に従って前記リール１１Ａ、１１Ｂの回転を開始させるように制御すると共に前記高周波出力装置４３が高周波音を出力するように制御する（ステップＳ１６）。即ち、前記赤外線センサー１５Ａが犬の存在を検知した際の前記第２記憶装置２２に格納された前記乱数値が「１」であれば、「抽選判定テーブル１」に従って前記第１リール１１Ａを停止図柄が「×」となるように且つ前記第２リール１１Ｂを停止図柄が「○」となるように、また同じく前記乱数値が「２」であれば、前記第１リール１１Ａを停止図柄が「○」となるように且つ前記第２リール１１Ｂを停止図柄が「×」となるように、更に同じく前記乱数値が「３」であれば、前記第１リール１１Ａを停止図柄が「○」となるように且つ前記第２リール１１Ｂを停止図柄が「○」となるように、前記主制御装置２０は前記第１モータ１２Ａ、第２モータ１２Ｂの運転を制御する。
【００５６】
即ち、前記第１リール位置把握装置４７Ａ、第２リール位置把握装置４７Ｂで前記第１リール１１Ａ、第２リール１１Ｂの位置を把握しつつ、前記赤外線センサー１５Ａが犬の存在を検知した際の前記第２記憶装置２２に格納された前記乱数値に応じて、対応する停止図柄が表示されるように、前記主制御装置２０が前記第１モータ１２Ａ、第２モータ１２Ｂの運転を制御する。
【００５７】
前述したように、前記高周波出力装置４３により人間には聞き取れないが、犬には聞こえる高周波が発生することにより、犬はこれからルーレットが行われることを理解できることとなり、犬に停止用ボタン１６を押圧するように誘引することができる。この場合、前述したように、前記第１リール１１Ａ、前記第２リール１１Ｂの動きに合わせて前記高周波出力装置４３により「大当たり」を意味する高周波を間欠的に発生させたり、「大当たり」を意味する高周波と「ハズレ」を意味する高周波を繰り返し発生させるようにして、「大当たり」のタイミングを理解させながら前記停止用ボタン１６を押圧させる動作を促してもよい。更には、音楽を前記音声出力装置４１を介して流す場合や、前記駆動源を駆動させて前記停止用ボタン１６を前記動作をさせる場合にも、同様に「大当たり」のタイミングを理解させながら前記停止用ボタン１６を押圧させる動作を促してもよい。
【００５８】
次に、前記ルーレット変動タイマー４２は計時を開始し、「抽選判定テーブル１」の変動時間（設定時間）３０ｓ（３０秒間）から「１秒」デクリメントするように、前記主制御装置２０は制御する（ステップＳ１７）。
【００５９】
そして、前述したように、犬に前記停止用ボタン１６を押圧させる動作を促しても、犬がまだ前記停止用ボタン１６を押圧しない場合には、前記リール停止スイッチ１７がＯＮにはならず（ステップＳ１８）、前記ルーレット変動タイマー４２が変動時間３０ｓを計時してタイムアップするまで（ステップＳ１９）、このステップＳ１８及びＳ１９を繰り返すように前記主制御装置２０が制御する。
【００６０】
そして、この第１の実施形態の第１の動作例として、犬が前記停止用ボタン１６を押圧しないまま（前記リール停止スイッチ１７がＯＮにはならず）、前記ルーレット変動タイマー４２が変動時間３０ｓを計時してタイムアップした場合には、次に前記第１リール１１Ａが停止済か否かが判定され（ステップＳ２０）、前記停止用ボタン１６が押圧されていないので前記第１リール１１Ａは停止済でないので、前記赤外線センサー１５Ａが犬の存在を検知した際の前記第２記憶装置２２に格納された前記乱数値に応じて、「抽選判定テーブル１」の前記第１リール１１Ａの停止図柄情報に基づいて対応する停止図柄が表示されるように、前記主制御装置２０が前記第１モータ１２Ａの運転を制御する（ステップＳ２２）。次いで、同様に、「抽選判定テーブル１」の前記第２リール１１Ｂの停止図柄情報に基づいて対応する停止図柄が表示されるように、前記主制御装置２０が前記第２モータ１２Ｂの運転を制御すると共に前述した前記高周波出力装置４３による高周波音の出力を停止するように制御する（ステップＳ２３）。
【００６１】
以上のように、前記赤外線センサー１５Ａが犬の存在を検知した際の前記第２記憶装置２２に格納された前記乱数値に応じて、前記第１リール１１Ａ、前記第２リール１１Ｂの回転が停止して、前記乱数値に応じた対応する停止図柄が表示され、次いで前記主制御装置２０は「大当たり」か否かを判定する（ステップＳ３０）。
【００６２】
この場合、前記第２記憶装置２２には前記赤外線センサー１５Ａが犬の存在を検知した際の乱数値が格納されているので、「抽選判定テーブル１」の乱数値に対応する前記第１リール１１Ａ、前記第２リール１１Ｂの停止図柄から、前記主制御装置２０は「大当たり」か否かが判定できる。
【００６３】
従って、犬の存在を検知した際の乱数値が「３」であれば、「大当たり」であって、前記主制御装置２０は前記第１排出装置５を作動させて最下位のもなかＭ１を前記シュート７を介して排出させ、前記餌トレーＦＴに供給する（ステップＳ３１）。また、犬の存在を検知した際の乱数値が「１」又は「２」であれば、「ハズレ」であって、前記主制御装置２０は前記第２排出装置６を作動させて前記段階１の少量のバラの状態のペットフードＰＦを前記シュート７を介して排出させ、前記餌トレーＦＴに供給する（ステップＳ３２）。なお、前述したステップＳ３１又はステップＳ３２の後、ステップＳ０１に戻る。
【００６４】
また、この第１の実施形態の第２の動作例として、ステップＳ１７の後において、前記ルーレット変動タイマー４２が変動時間３０ｓを計時してタイムアップする前に、犬が前記停止用ボタン１６を第１回目の押圧をして前記リール停止スイッチ１７をＯＮした場合には（ステップＳ１８）、前記主制御装置２０はボタン制御処理を行うように制御する（ステップＳ２４）。即ち、前記リール停止スイッチ１７をＯＮされると、前記振動選択スイッチ３７により振動することが選択されていなければ、録音された前記停止用ボタン１６の押し下げ音のみが前記音声出力装置４１により報知されることとなり、前記振動選択スイッチ３７により振動することが選択されていると、前記振動装置３８が動作し、前記停止用ボタン１６を振動させて、犬に前記停止用ボタン１６が操作された旨を伝えると共に録音された前記停止用ボタン１６の押し下げ音が前記音声出力装置４１により報知される。
【００６５】
そして、前記主制御装置２０がボタン制御処理を行うように制御した（ステップＳ２４）後に、前記第１有無検知センサー４８Ａによる一定時間内の前記切り欠き有無検知情報に変化があるか否かに基づいて、即ち前記第１リール１１Ａが回転しているか停止しているかの変化の有無に基づいて、前記第１リール１１Ａが停止していないか前記主制御装置２０が判定する（ステップＳ２５）。
【００６６】
この場合、一定時間内に前記第１有無検知センサー４８Ａによる前記切り欠き有無検知情報に変化があって、前記第１リール１１Ａが停止していなければ、前記主制御装置２０は前記第１リール１１Ａが停止するように第１モータ１２Ａを制御して（ステップＳ２６）、次いでこの停止した際の前記第１リール１１Ａの図柄位置情報を前記第１リール位置把握装置４７Ａが把握して第１リール停止図柄として前記第２記憶装置２２に保存するように前記主制御装置２０が制御し（ステップＳ２７）、前記ルーレット変動タイマー４２がタイムアップしていなければ（ステップＳ１９）、ステップＳ１７に戻って、次に２回目の前記停止用ボタン１６の押圧操作がなされると（ステップＳ１８）、ステップＳ２４を経て、次にステップＳ２５へと進むが、既に犬が前記停止用ボタン１６を第１回目の押圧をして前記リール停止スイッチ１７をＯＮさせたので、一定時間内に前記第１有無検知センサー４８Ａによる前記切り欠き有無検知情報に変化がなくて、前記第１リール１１Ａが停止しており、ステップＳ２８へと進む。
【００６７】
従って、ステップＳ１７の後において、前記ルーレット変動タイマー４２がタイムアップする前であれば、前記リール停止スイッチ１７が２回目のＯＮがされた場合には（ステップＳ１８）、前述したように、ステップＳ２８へと進むので、以下説明する。
【００６８】
即ち、前記主制御装置２０は前記第２リール１１Ｂが停止するように前記第２モータ１２Ｂを制御すると共に前記高周波出力装置４３による高周波の出力を停止するように制御し（ステップＳ２８）、次いでこの停止した際の前記第２リール１１Ｂの図柄位置情報を前記第２リール位置把握装置４７Ｂが把握して第２リール停止図柄として前記第２記憶装置２２に保存するように前記主制御装置２０が制御する（ステップＳ２９）。
【００６９】
次いで、前記主制御装置２０は、前述した前記赤外線センサー１５Ａが犬の存在を検知した際の前記第２記憶装置２２に格納された前記乱数値を無視して「ハズレ」とするように制御する（ステップＳ３３）。即ち、おやつの時刻になって、前記ペット感知用タイマー３５が計時を開始して、タイムアップする前に前記赤外線センサー１５Ａが犬の存在を検知した場合に、前記前記リール１１Ａ、１１Ｂが回転を開始すると共に前記高周波出力装置４３が高周波音を出力して前記停止用ボタン１６を押圧させる動作を促し、前記ルーレット変動タイマー４２が変動時間３０ｓを計時してタイムアップする前に、犬が前記停止用ボタン１６を押圧すると、新たに再度抽選が行われるので、前述した前記赤外線センサー１５Ａが犬の存在を検知した際の前記第２記憶装置２２に格納された前記乱数値を無視して「ハズレ」とするように制御するものである。
【００７０】
そして、ステップＳ２７において、停止した際の前記第１リール１１Ａの停止図柄が前記第２記憶装置２２に格納されていると共に、ステップＳ２９において、停止した際の前記第２リール１１Ｂの停止図柄が前記第２記憶装置２２に格納されているので、これらの格納されているデータに基づいて、前記主制御装置２０は前記第１リール１１Ａの停止図柄が「○」か否かを判定する（ステップＳ３４）。
【００７１】
そして、この第１リール１１Ａの停止図柄が「×」であれば、ステップＳ３０に進んで、「大当たり」か否かが判定されて、「ハズレ」であるので、前記主制御装置２０は前記第２排出装置６を作動させて前記段階１の少量のバラの状態のペットフードＰＦを前記シュート７を介して排出させ、前記餌トレーＦＴに供給し（ステップＳ３２）、ステップＳ０１に戻る。
【００７２】
また、ステップＳ３４において前記第１リール１１Ａの停止図柄が「○」と判定されると、ステップＳ３５に進んで、前記第２リール１１Ｂの停止図柄が「○」か否かが判定され、この第２リール１１Ｂの停止図柄が「×」であれば、前述したようにステップＳ３０に進んで、「大当たり」か否かが判定されて、「ハズレ」であるので、前記主制御装置２０は前記第２排出装置６を作動させて前記段階１の少量のバラの状態のペットフードＰＦを前記シュート７を介して排出させ、前記餌トレーＦＴに供給する（ステップＳ３２）。
【００７３】
また、ステップＳ３４において前記第１リール１１Ａの停止図柄が「○」と判定され、ステップＳ３５において前記第２リール１１Ｂの停止図柄が「○」と判定されると、前記主制御装置２０は「大当たり」とし（ステップＳ３６）、前記第１排出装置５を作動させてもなかＭを前記シュート７を介して排出させ、前記餌トレーＦＴに供給し（ステップＳ３１）、ステップＳ０１に戻る。
【００７４】
また、上述した第１の実施形態の第２の動作例の場合に、前記ルーレット変動タイマー４２が変動時間３０ｓを計時してタイムアップする前に、ステップＳ１７の後において、犬が前記停止用ボタン１６を第１回目の押圧をして前記リール停止スイッチ１７をＯＮして（ステップＳ１８）、ステップＳ２４、Ｓ２５、Ｓ２６、Ｓ２７を経た後において、前記停止用ボタン１６を第２回目の押圧をする前に、前記ルーレット変動タイマー４２がタイムアップした場合には、前述したステップ２０に進む。この場合、前記第１リール１１Ａが停止済か否かが判定され（ステップＳ２０）、犬により前記停止用ボタン１６が第１回目の押圧がされて前記第１リール１１Ａは停止済であるので、前記主制御装置２０は前記第１モータ１２Ａを駆動させて前記第１リール１１Ａの再回転を開始させ（ステップＳ２１）、前記赤外線センサー１５Ａが犬の存在を検知した際の前記第２記憶装置２２に格納された前記乱数値に応じて、「抽選判定テーブル１」の前記第１リール１１Ａの停止図柄情報に基づいて対応する停止図柄が表示されるように、前記主制御装置２０が前記第１モータ１２Ａの運転を制御する（ステップＳ２２）。次いで、同様に、「抽選判定テーブル１」の前記第２リール１１Ｂの停止図柄情報に基づいて対応する停止図柄が表示されるように、前記主制御装置２０が前記第２モータ１２Ｂの運転を制御すると共に前述した前記高周波出力装置４３による高周波音の出力を停止するように制御する（ステップＳ２３）。
【００７５】
以上のように、前記赤外線センサー１５Ａが犬の存在を検知した際の前記第２記憶装置２２に格納された前記乱数値に応じて、前記第１リール１１Ａ、前記第２リール１１Ｂの回転が停止して、前記乱数値に応じた対応する停止図柄が表示され、次いで前記主制御装置２０は「大当たり」か否かを判定する（ステップＳ３０）。このステップＳ３０以降の動作は、前述したとおりであるので、ここでは省略する。
【００７６】
次に、図１０のフローチャートに基づいて、第２の実施形態について説明する。この第２の実施形態の動作については、図６に示す第１の実施形態と異なる動作を重点的に説明する。
【００７７】
即ち、ステップＳ１７までの動作については、図６に示す第１の実施形態と同じであり、説明は省略する。ステップＳ１７において、前記ルーレット変動タイマー４２は計時を開始し、「抽選判定テーブル１」の変動時間３０ｓから「１秒」デクリメントするように、前記主制御装置２０は制御し、犬に前記停止用ボタン１６を押圧させる動作を促しても、犬がまだ前記停止用ボタン１６を押圧しない場合には、前記リール停止スイッチ１７がＯＮにはならず（ステップＳ１８）、前記ルーレット変動タイマー４２がタイムアップするまで（ステップＳ１９）、このステップＳ１８及びＳ１９を繰り返すように前記主制御装置２０が制御する。
【００７８】
そして、第２の実施形態の第１の動作例として、犬が前記停止用ボタン１６を押圧しないまま（前記リール停止スイッチ１７がＯＮにはならず）、前記ルーレット変動タイマー４２がタイムアップした場合には、次に前記第１リール１１Ａが停止済か否かが判定され（ステップＳ２０）、犬により前記停止用ボタン１６が押圧されていないので前記第１リール１１Ａは停止済でないので、前記赤外線センサー１５Ａが犬の存在を検知した際の前記第２記憶装置２２に格納された前記乱数値に応じて、「抽選判定テーブル１」の前記第１リール１１Ａの停止図柄情報に基づいて対応する停止図柄が表示されるように、前記主制御装置２０が前記第１モータ１２Ａの運転を制御する（ステップＳ２２）。次いで、同様に、「抽選判定テーブル１」の前記第２リール１１Ｂの停止図柄情報に基づいて対応する停止図柄が表示されるように、前記主制御装置２０が前記第２モータ１２Ｂの運転を制御すると共に前述した前記高周波出力装置４３による高周波音の出力を停止するように制御する（ステップＳ２３）。
【００７９】
次に、前記主制御装置２０は「大当たり」か否かを判定（ステップＳ３０）し、犬の存在を検知した際の乱数値が「３」であれば、「大当たり」であって、前記主制御装置２０は前記第１排出装置５を作動させて最下位のもなかＭ１を前記シュート７を介して排出させ（ステップＳ３１）、また犬の存在を検知した際の乱数値が「１」又は「２」であれば、「ハズレ」であって、前記主制御装置２０は前記第２排出装置６を作動させて前記段階１の少量のバラの状態のペットフードＰＦを前記シュート７を介して排出させ（ステップＳ３２）、前記餌トレーＦＴに供給する。なお、前述したステップＳ３１又はステップＳ３２の後、ステップＳ０１に戻る。
【００８０】
また、この第２の実施形態の第２の動作例として、ステップＳ１７の後において、前記ルーレット変動タイマー４２がタイムアップする前に、犬が前記停止用ボタン１６を第１回目の押圧をして前記リール停止スイッチ１７をＯＮした場合には（ステップＳ１８）、前記主制御装置２０は前述したようなボタン制御処理を行うように制御する（ステップＳ２４）。即ち、前記リール停止スイッチ１７をＯＮされると、前記振動選択スイッチ３７により振動することが選択されていなければ、録音された前記停止用ボタン１６の押し下げ音のみが前記音声出力装置４１により報知されることとなり、前記振動選択スイッチ３７により振動することが選択されていると、前記振動装置３８が動作し、前記停止用ボタン１６を振動させて、犬に前記停止用ボタン１６が操作された旨を伝えると共に録音された前記停止用ボタン１６の押し下げ音が前記音声出力装置４１により報知される。
【００８１】
そして、前記主制御装置２０がボタン制御処理を行うように制御した（ステップＳ２４）後に、前記第１有無検知センサー４８Ａによる一定時間内の前記切り欠き有無検知情報に変化があるか否かに基づいて、即ち前記第１リール１１Ａが回転しているか停止しているかの変化の有無に基づいて、前記第１リール１１Ａが停止していないか前記主制御装置２０が判定する（ステップＳ２５）。
【００８２】
この場合、一定時間内に前記第１有無検知センサー４８Ａによる前記切り欠き有無検知情報に変化があって、前記第１リール１１Ａが停止していなければ、前記主制御装置２０は前記第１リール１１Ａが大当たりの図柄（「○」）で停止するように前記第１モータ１２Ａを制御して（ステップＳ２６１）、次いで前記ルーレット変動タイマー４２がタイムアップしていなければ（ステップＳ１９）、ステップＳ１７に戻って、次に２回目の前記停止用ボタン１６の押圧操作がなされると（ステップＳ１８）、ステップＳ２４を経て、次にステップＳ２５へと進むが、既に犬が前記停止用ボタン１６を第１回目の押圧をして前記リール停止スイッチ１７をＯＮさせたので、一定時間内に前記第１有無検知センサー４８Ａによる前記切り欠き有無検知情報に変化がなくて、前記第１リール１１Ａが停止しており、ステップＳ２６２へと進む。
【００８３】
即ち、前記主制御装置２０は前記第２リール１１Ｂが大当たりの図柄（「○」）で停止するように前記第２モータ１２Ｂを制御すると共に前記高周波出力装置４３が高周波音を出力することを停止するように制御する（ステップＳ２６２）。
【００８４】
そして、前記主制御装置２０は、前述した前記赤外線センサー１５Ａが犬の存在を検知した際の前記第２記憶装置２２に格納された前記乱数値を無視して「ハズレ」とするように制御する（ステップＳ３３）。そして、ステップＳ２６１において、前記第１リール１１Ａの停止図柄が「○」となる位置で停止して、この停止した際の前記第１リール１１Ａの停止図柄が前記第２記憶装置２２に格納されているので、この格納されているデータに基づいて、前記主制御装置２０は前記第１リール１１Ａの停止図柄が「○」であると判定し（ステップＳ３４）、更にステップＳ２６２において、前記第２リール１１Ｂの停止図柄が「○」となる位置で停止して、この停止した際の前記第２リール１１Ｂの停止図柄が前記第２記憶装置２２に格納されているので、この格納されているデータに基づいて、前記主制御装置２０は前記第２リール１１Ｂの停止図柄が「○」であると判定する（ステップＳ３５）。
【００８５】
従って、次に前記主制御装置２０は「大当たり」とし（ステップＳ３６）、前記第１排出装置５を作動させてもなかＭを前記シュート７を介して排出させ、前記餌トレーＦＴに供給し（ステップＳ３１）、ステップＳ０１に戻る。
【００８６】
このため、この実施形態にあっては、前記ルーレット変動タイマー４２がタイムアップする前に、前記表示装置を構成するリールの数に対応して前記停止用ボタン１６の押圧操作が２回なされると、必ず「大当たり」となり、犬はこの停止用ボタン１６の押圧操作をすることによるご褒美が得られるという喜びを感じることができて、またこれらのことを学習することができて再現性が良好で、飼い主からではなくて前記自動給餌装置１からおやつが提供されても、楽しむことができて飼い主との信頼を維持できる。
【００８７】
また、上述した第２の実施形態の第２の動作例の場合に、前記ルーレット変動タイマー４２が変動時間３０ｓを計時してタイムアップする前に、ステップＳ１７の後において、犬が前記停止用ボタン１６を第１回目の押圧をして前記リール停止スイッチ１７をＯＮして（ステップＳ１８）、ステップＳ２４、Ｓ２５、Ｓ２６１を経た後において、前記停止用ボタン１６を第２回目の押圧をする前に、前記ルーレット変動タイマー４２がタイムアップした場合には、前述したステップ２０に進む。この場合、前記第１リール１１Ａが停止済か否かが判定され（ステップＳ２０）、前記停止用ボタン１６が第１回目の押圧がされて前記第１リール１１Ａは停止済であるので、前記主制御装置２０は前記第２リール１１Ｂの停止図柄が「×」となる位置で停止させるように前記第２モータ１２Ｂを制御すると共に、前記高周波出力装置４３が高周波音を出力することを停止するように制御する（ステップＳ２１１）。
【００８８】
次いで、前記主制御装置２０は、前述した前記赤外線センサー１５Ａが犬の存在を検知した際の前記第２記憶装置２２に格納された前記乱数値を無視して「ハズレ」とするように制御する（ステップＳ３３）。そして、ステップＳ２６１において、前記第１リール１１Ａの停止図柄が「○」となる位置で停止して、この停止した際の前記第１リール１１Ａの停止図柄が前記第２記憶装置２２に格納されているので、この格納されているデータに基づいて、前記主制御装置２０は前記第１リール１１Ａの停止図柄が「○」であると判定し（ステップＳ３４）、更にステップＳ２１１において、前記第２リール１１Ｂの停止図柄が「×」となる位置で停止して、この停止した際の前記第２リール１１Ｂの停止図柄が前記第２記憶装置２２に格納されているので、この格納されているデータに基づいて、前記主制御装置２０は前記第２リール１１Ｂの停止図柄が「×」であると判定する（ステップＳ３５）。
【００８９】
従って、ステップＳ３０において、「大当たり」ではなく「ハズレ」と判定され、前記主制御装置２０は前記第２排出装置６を作動させて前記段階１の少量のバラの状態のペットフードＰＦを前記シュート７を介して排出させ、前記餌トレーＦＴに供給し（ステップＳ３２）、ステップＳ０１に戻る。
【００９０】
なお、以上の実施形態において、表示装置として、２つの前記第１リール１１Ａ及び前記第２リール１１Ｂを使用したが、３つ以上のリールを使用するようにしてもよい。
【００９１】
以上説明した実施形態は、ペットとしての犬の関心が得られて、飼い主との信頼を維持できる自動給餌装置を提供することができる。
【００９２】
以上本発明の実施態様について説明したが、上述の説明に基づいて当業者にとって種々の代表例、修正又は変形が可能であり、本発明はその趣旨を逸脱しない範囲で前述の種々の代表例、修正又は変形を包含するものである。
【符号の説明】
【００９３】
１              自動給餌装置
２              収納装置
５              第１排出装置
６              第２排出装置
１１Ａ          第１リール１１Ａ（表示装置）
１１Ｂ          第２リール１１Ｂ（表示装置）
１５Ａ          赤外線センサー（ペット感知装置）
１６            停止用ボタン
１７            リール停止スイッチ
２０            主制御装置（制御装置）
２２            第２記憶装置（記憶装置）
３４            ＲＴＣ回路
３５            ペット感知用タイマー
３８            振動装置
４１            音声出力装置（報知装置）
４２            ルーレット変動タイマー
Ｍ              もなか
ＰＦ            ペットフード
【図１】
2016189730.tif 000003
【図２】
2016189730.tif 000004
【図３】
2016189730.tif 000005
【図４】
2016189730.tif 000006
【図５】
2016189730.tif 000007
【図６】
2016189730.tif 000008
【図７】
2016189730.tif 000009
【図８】
2016189730.tif 000010
【図９】
2016189730.tif 000011
【図１０】
2016189730.tif 000012